(57)【要約】【課題】デフォルトで指定された記録先だけに固定されることなく、記録処理の実行条件に応じて適切な記録先へ情報を記録することが可能な情報記録装置を提供できる。【解決手段】情報記録装置は、第１の記録処理に対応して第１の情報記憶媒体へ情報を記録するための第１の記録制御情報と、第２の記録処理に対応して第２の情報記憶媒体へ情報を記録するための第２の記録制御情報とを含むデフォルト記録制御情報を記憶し、さらに前記第１又は第２の記録処理の実行条件に対応して情報の記録先を切り替えるための動的記録制御情報を記憶する制御情報記憶手段と、前記デフォルト記録制御情報及び前記動的記録制御情報に基づき前記第１又は第２の情報記憶媒体へ情報を記録する記録手段と、を備えている。【選択図】図３
2011048881.tif 000002
【特許請求の範囲】
【請求項１】
第１の記録処理に対応して第１の情報記憶媒体へ情報を記録するための第１の記録制御情報と、第２の記録処理に対応して第２の情報記憶媒体へ情報を記録するための第２の記録制御情報とを含むデフォルト記録制御情報を記憶し、さらに前記第１又は第２の記録処理の実行条件に対応して情報の記録先を切り替えるための動的記録制御情報を記憶する制御情報記憶手段と、
前記デフォルト記録制御情報及び前記動的記録制御情報に基づき前記第１又は第２の情報記憶媒体へ情報を記録する記録手段と、
を備えた情報記録装置。
【請求項２】
前記デフォルト記録制御情報は、番組指定録画に対応して前記第１の情報記憶媒体へ情報を記録するための前記第１の記録制御情報と、複数チャンネル同時録画に対応して前記第２の情報記憶媒体へ情報を記録するための前記第２の記録制御情報とを含むことを特徴とする請求項１に記載の情報記録装置。
【請求項３】
前記動的記録制御情報は、所定時間帯の前記第１又は第２の記録処理に対応して前記第１の情報記憶媒体へ情報を記録するための記録制御情報を含むことを特徴とする請求項１または請求項２に記載の情報記録装置。
【請求項４】
前記動的記録制御情報は、高信頼性モードでの前記第１又は第２の記録処理に対応して前記第１の情報記憶媒体へ情報を記録するための記録制御情報を含むことを特徴とする請求項１または請求項２に記載の情報記録装置。
【請求項５】
前記動的記録制御情報は、高信頼性モードでの前記番組指定録画に対応して前記第２の情報記憶媒体へ情報を記録し、前記高信頼性モードでの前記複数チャンネル同時録画に対応して前記第１の情報記憶媒体へ情報を記録するための記録制御情報を含むことを特徴とする請求項１または請求項２に記載の情報記録装置。
【請求項６】
前記記録手段は、モータにより回転される第１のサイズのディスクにより構成された前記第１の情報記憶媒体、又はモータにより回転される前記第１のサイズより大きい第２のサイズのディスクにより構成された前記第２の情報記憶媒体に対して情報を記録することを特徴とする請求項１または請求項２に記載の情報記録装置。
【請求項７】
前記記録手段は、半導体素子によって構成された前記第１の情報記憶媒体、又はモータにより回転されるディスクにより構成された前記第２の情報記憶媒体に対して情報を記録することを特徴とする請求項１乃至請求項３のいずれかに記載の情報記録装置。
【請求項８】
第１の記録条件の記録処理に対応して第１の情報記憶媒体へ情報を記録するための第１の記録制御情報と、第２の記録条件の記録処理に対応して第２の情報記憶媒体へ情報を記録するための第２の記録制御情報とを含むデフォルト記録制御情報、及び前記第１又は第２の記録処理の実行条件に対応して情報の記録先を切り替えるための動的記録制御情報に基づき、前記第１又は第２の情報記憶媒体へ情報を記録する、ことを特徴とする情報記録方法。
【発明の詳細な説明】
【技術分野】
【０００１】
本発明は、複数のハードディスクドライブにより情報を記録することが可能な情報記録装置及び情報記録方法に関する。
【背景技術】
【０００２】
近年、デジタルテレビ放送を記録したり再生したりすることが可能な記録再生装置が普及している。例えば、記録再生装置は、ＨＤＤ、ＤＶＤ（Digital Versatile Disk）、及び不揮発性メモリのうちの少なくとも一つを使ってデジタルテレビ放送を記録する。ＨＤＤ及び不揮発性メモリなどの情報記憶媒体の記憶容量は、年々増大している。このために、これらの情報記憶媒体を利用した記録再生装置、及びこれらの情報記憶媒体を利用した記録機能付きテレビジョン受信機は、多数の番組を記録することができる。
【０００３】
それでも、情報記憶媒体の記憶容量は有限であるため、番組の記録とともに記憶容量不足が生じることがある。そこで、複数の情報記憶媒体と接続可能に構成され、これら複数の情報記憶媒体に対して情報を記録可能な情報記録機器が提案されている。また、この種の情報記録機器の一例が既に開示されており（特許文献１参照）、この特許文献１に開示された番組記録装置は、通常の録画とループ録画とを同時に並行して行なうことが可能であり、接続された第１の録画ストレージを通常録画用に使用し、接続された第２の録画ストレージをループ録画用に使用する。
【先行技術文献】
【特許文献】
【０００４】
【特許文献１】特開２００８−３０１２９１号公報
【発明の概要】
【発明が解決しようとする課題】
【０００５】
特許文献１に開示された番組記録装置に限らず、複数のＨＤＤを内蔵したり、複数の不揮発性メモリを内蔵したり、或いはＨＤＤと不揮発性メモリとを内蔵したりして、これら内蔵した複数の情報記憶媒体に対して番組を記録する番組記録装置も知られている。
【０００６】
特許文献１に開示された番組記録装置は、記録処理に応じて記録先を使い分ける。また、この番組記録装置は、第１の録画ストレージに障害が発生した場合には、替わりに第３の録画ストレージを使用する。このように、この番組記録装置は、記録処理に応じて記録先を使い分けたり、特定の記録先が使用できない場合に、特定の記録先の替わりとなる記録先を使用したりする。
【０００７】
しかしながら、特定の記録先が使用できない状況ではなくとも、記録先を変更したほうが好都合な場合がある。つまり、デフォルトで指定された記録先ではなく、記録処理の実行条件に応じて記録先を変更したほうが好都合な場合がある。
【０００８】
本発明の目的は、デフォルトで指定された記録先だけに固定されることなく、記録処理の実行条件に応じて適切な記録先へ情報を記録することが可能な情報記録装置及び情報記録方法を提供することにある。
【課題を解決するための手段】
【０００９】
本発明の一実施形態に係る情報記録装置は、第１の記録処理に対応して第１の情報記憶媒体へ情報を記録するための第１の記録制御情報と、第２の記録処理に対応して第２の情報記憶媒体へ情報を記録するための第２の記録制御情報とを含むデフォルト記録制御情報を記憶し、さらに前記第１又は第２の記録処理の実行条件に対応して情報の記録先を切り替えるための動的記録制御情報を記憶する制御情報記憶手段と、前記デフォルト記録制御情報及び前記動的記録制御情報に基づき前記第１又は第２の情報記憶媒体へ情報を記録する記録手段と、を備えている。
【００１０】
本発明の一実施形態に係る情報記録方法は、第１の記録条件の記録処理に対応して第１の情報記憶媒体へ情報を記録するための第１の記録制御情報と、第２の記録条件の記録処理に対応して第２の情報記憶媒体へ情報を記録するための第２の記録制御情報とを含むデフォルト記録制御情報、及び前記第１又は第２の記録処理の実行条件に対応して情報の記録先を切り替えるための動的記録制御情報に基づき、前記第１又は第２の情報記憶媒体へ情報を記録する。
【発明の効果】
【００１１】
本発明によれば、デフォルトで指定された記録先だけに固定されることなく、記録処理の実行条件に応じて適切な記録先へ情報を記録することが可能な情報記録装置及び情報記録方法を提供できる。
【図面の簡単な説明】
【００１２】
【図１】本発明の一実施形態に係るデジタルテレビジョン放送受信システムの概略構成を示す図である。
【図２】デジタルテレビジョン放送受信システムの主要な信号処理系を示す図である。
【図３】デフォルト記録制御情報及び動的記録制御情報に基づく記録動作制御の第１例を説明するための図である。
【図４】デフォルト記録制御情報及び動的記録制御情報に基づく記録動作制御の第２例を説明するための図である。
【発明を実施するための形態】
【００１３】
以下、図面を参照し、本発明の実施形態について説明する。
【００１４】
図１は、本発明の一実施形態に係るデジタルテレビジョン放送受信システムの概略構成を示す図である。図１に示すように、デジタルテレビジョン放送受信システム３は、放送受信装置１（情報記録装置）及び映像音声出力装置２を備えている。なお、本実施形態では、図１に示すように、放送受信装置１及び映像音声出力装置２がＨＤＭＩケーブルで接続される２ピース型のデジタルテレビジョン放送受信システム３について説明するが、本発明はこれに限定されるものではない。例えば、デジタルテレビジョン放送受信システム３は、放送受信装置１及び映像音声出力装置２が一つの筐体にまとめられた１ピース型であってもよい。
【００１５】
図２は、上記したデジタルテレビジョン放送受信システム３の主要な信号処理系を示す図である。デジタルテレビジョン放送受信システム３の放送受信装置１は、アンテナ１０１ａ、１０１ｂ、入力端子１０２ａ、１０２ｂ、チューナー部１０３、外部入力端子１０４〜１０７、信号処理モジュール１０８、コントローラ１１０、ＯＳＤ信号生成モジュール１１１、グラフィック処理モジュール１１２、映像処理モジュール１１３、音声処理モジュール１１４、操作部１１５、受信部１１７、カードスロット１３１〜１３６、ＨＤＤ１４０１、１４０２、不揮発性メモリ１４０３を備えている。また、チューナー部１０３は、地上デジタルテレビジョン放送用のチューナー１０３１〜１０３６とＢＳ／ＣＳデジタルテレビジョン放送のチューナー１０３７とを備えている。
【００１６】
また、デジタルテレビジョン放送受信システム３の映像音声出力装置２は、映像表示部２０１及びスピーカ２０２を備えている。
【００１７】
以下、デジタルテレビジョン放送受信システム３の詳細について説明する。地上波放送受信用のアンテナ１０１ａで受信した地上デジタルテレビジョン放送信号は、入力端子１０２ａを介してチューナー１０３１〜１０３６に供給され、チューナー１０３１〜１０３６の地上デジタルテレビジョン放送用信号処理部で、所望のチャンネルのデジタルテレビジョン放送信号が選局される。そして、このチューナー１０３１〜１０３６で選局された複数のデジタルテレビジョン放送信号は、ＯＦＤＭ（orthogonal frequency division multiplexing）復調モジュールに供給されて、デジタルの映像信号及び音声信号に復調された後、信号処理モジュール１０８に出力される。
【００１８】
また、放送受信装置１は、ＢＳ／ＣＳデジタルテレビジョン放送受信用のアンテナ１０１ｂで受信した衛星デジタルテレビジョン放送信号は、入力端子１０２ｂを介してＢＳ／ＣＳデジタルテレビジョン放送受信用のチューナー１０３７に供給されることにより、所望のチャンネルの放送信号が選局される。そして、このチューナー１０３７で選局された放送信号は、ＰＳＫ（phase shift keying）復調モジュールに供給されて、デジタルの映像信号及び音声信号に復調された後、信号処理モジュール１０８に出力される。
【００１９】
ここで、上記信号処理モジュール１０８は、ＰＳＫ復調モジュール及びＯＦＤＭ復調モジュールからそれぞれ供給されたデジタルの映像信号及び音声信号に対して、選択的に所定のデジタル信号処理を施し、グラフィック処理モジュール１１２及び音声処理モジュール１１４に出力している。
【００２０】
また、上記信号処理モジュール１０８には、例えば４つの入力端子１０４〜１０７が接続されている。これら入力端子１０４〜１０７は、それぞれ、アナログの映像信号及び音声信号を、デジタルテレビジョン放送受信システム３の外部から入力可能とするものである。
【００２１】
そして、この信号処理モジュール１０８は、各入力端子１０４〜１０７からそれぞれ供給されたアナログの映像信号及び音声信号を選択的にデジタル化し、そのデジタル化された映像信号及び音声信号に対して所定のデジタル信号処理を施した後、グラフィック処理モジュール１１２及び音声処理モジュール１１４に出力している。
【００２２】
このうち、グラフィック処理モジュール１１２は、信号処理モジュール１０８から供給されるデジタルの映像信号に、ＯＳＤ（on screen display）信号生成モジュール１１１で生成されるＯＳＤ信号を重畳して出力する機能を有する。このグラフィック処理モジュール１１２は、信号処理モジュール１０８の出力映像信号と、ＯＳＤ信号生成モジュール１１１の出力ＯＳＤ信号とを選択的に出力すること、また、両出力をそれぞれ画面の半分を構成するように組み合わせて出力することができる。
【００２３】
そして、グラフィック処理モジュール１１２から出力されたデジタルの映像信号は、映像処理モジュール１１３に供給される。映像処理モジュール１１３により処理された映像信号は、映像表示部２０１に供給される。映像表示部２０１は、映像信号に基づく映像を表示する。
【００２４】
また、上記音声処理モジュール１１４は、入力されたデジタルの音声信号を、スピーカ２０２で再生可能なフォーマットのアナログ音声信号に変換した後、スピーカ２０２に出力して音声再生させる。
【００２５】
ここで、このデジタルテレビジョン放送受信システム３は、上記した各種の受信動作を含むその全ての動作をコントローラ１１０によって統括的に制御されている。コントローラ１１０は、ＣＰＵ（central processing unit）等を備え、操作部１１５からの操作情報、または、リモートコントローラ１１６から送出され受光部１１７を介して受信した操作情報を受けて、その操作内容が反映されるように各モジュール等をそれぞれ制御している。
【００２６】
この場合、コントローラ１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３とを備えている。
【００２７】
さらに、上記コントローラ１１０は、不揮発性メモリ１１０３に記憶されたデフォルト記録制御情報及び動的記録制御情報に基づき、チューナー１０３１〜１０３７により選局されデスクランブルされた放送信号をＨＤＤ１４０１、１４０２、不揮発性メモリ１４０３の何れかへ記録するための記録動作を制御することもできる。なお、デフォルト記録制御情報及び動的記録制御情報に基づく記録動作の制御については後に詳しく説明する。
【００２８】
例えば、上記したＨＤＤ１４０１、１４０２は、表面がアルミダイキャスト等の金属材料でカバーされたトップカバーと、同じくアルミダイキャスト等の金属材料から成るベースシャーシとを有している。ＨＤＤ１４０１、１４０２において、トップカバー側の内部には、例えば１〜３．５インチ程度の複数の磁気ディスクと、磁気ディスクに対して読み書きするための複数のヘッドや、磁気ディスクを回転駆動するためのモータ等の駆動部が配置されている。なお、本実施形態では、ＨＤＤ１４０１は、約２．５インチの複数の磁気ディスクにより構成され、ＨＤＤ１４０２は、約３．５インチの複数の磁気ディスクにより構成されるケースについて説明する。また、不揮発性メモリ１４０３は、半導体素子により構成されている。
【００２９】
例えば、放送受信システム３は、例えば、ハイビジョンレベルの画質で複数チャンネルの１週間分の指定時間帯の全番組を同時録画することが可能となる。このような複数チャンネル同時録画をマルチ同時録画と称する。マルチ同時録画では、複数チャンネルの１週間分の指定時間帯の全番組を同時録画するため、１週間を過ぎた番組は削除される（１週間を過ぎた番組は新しい番組で上書きされる）。放送受信システム３は、マルチ同時録画を実現するために、複数チャンネルに対応した複数チューナ１０３１〜１０３７を備えている。更に、放送受信システム３は、スクランブル放送に対応するために、複数チャンネルに対応した複数のデスクランブル用のカードを挿入するための複数のカードスロット１３１〜１３６を備えている。
【００３０】
カードスロット１３１は、ＢＳ・ＣＳ・地上共用カード（赤カード）を装填するためのスロットである。このカードスロット１３１に赤カードが挿入されると、地上デジタルテレビジョン放送用のチューナー１０３１による地上デジタルテレビジョン放送信号のデスクランブル又はＢＳ／ＣＳデジタルテレビジョン放送用のチューナー１０３７によるＢＳ／ＣＳデジタルテレビジョン放送信号のデスクランブルが可能となる。コントローラ１１０は、デスクランブルされた放送信号の再生を制御したり、記録を制御したりする。
【００３１】
さらに、カードスロット１３２〜１３６は、地上デジタル専用カード（青カード）を装填するためのスロットである。これらカードスロット１３２〜１３６の夫々に青カードが挿入されると、地上デジタルテレビジョン放送用のチューナー１０３２〜１０３６による地上デジタルテレビジョン放送信号のデスクランブルが可能となる。コントローラ１１０は、デスクランブルされた放送信号の再生を制御したり、記録を制御したりする。
【００３２】
次に、デフォルト記録制御情報及び動的記録制御情報に基づく記録動作の制御について説明する。
【００３３】
不揮発性メモリ１１０３は、デフォルト記録制御情報を記憶し、このデフォルト記録制御情報は、第１の記録処理（例えば番組指定録画）に対応して第１の情報記憶媒体（例えばＨＤＤ１４０１）へ情報を記録するための第１の記録制御情報と、第２の記録処理（例えばマルチ同時録画）に対応して第２の情報記憶媒体（例えばＨＤＤ１４０２又は不揮発性メモリ１４０３）へ情報を記録するための第２の記録制御情報とを含む。なお、番組指定録画とは、リモートコントローラ１１６を介してユーザーが指定した番組を録画する処理であり、ＰＶＲ（Personal Video Recoding）とも称する。また、不揮発性メモリ１１０３は、動的記録制御情報も記憶し、この動的記録制御情報は、第１又は第２の記録処理の実行条件に対応して情報の記録先を切り替えるための情報である。
【００３４】
図３を参照して、デフォルト記録制御情報及び動的記録制御情報に基づく記録動作制御の第１例について説明する。
【００３５】
本実施形態では、図３に示すように、例えば、ＨＤＤ１４０１が２．５インチＨＤＤであり、ＨＤＤ１４０２が３．５インチＨＤＤである。３．５インチＨＤＤの記憶容量は、２．５インチＨＤＤの記憶容量より多い。また、マルチ同時録画で必要とされる記憶容量は、番組指定録画で必要とされる記憶容量より多い。そこで、デフォルト記録制御情報により以下を設定する。
【００３６】
ＨＤＤ１４０１（２．５インチＨＤＤ）を番組指定録画用（ＰＶＲ用）に割り当てる。さらに、ＨＤＤ１４０２（３．５インチＨＤＤ）をマルチ同時録画用に割り当てる。
【００３７】
なお、３．５インチＨＤＤの騒音は、２．５インチＨＤＤの騒音よりも大きい。つまり、２．５インチＨＤＤの騒音性能は、３．５インチＨＤＤの騒音性能より優れる。また、不揮発性メモリ１４０３の騒音性能は、２．５インチＨＤＤ及び３．５インチＨＤＤの騒音性能のいずれよりも優れる。そこで、動的記録制御情報により以下を設定する。
【００３８】
夜間（例えば２２：００〜６：５９の時間帯）は、優先的にＨＤＤ１４０１（２．５インチＨＤＤ）を使用する。或いは、夜間は、優先的に不揮発性メモリ１４０３を使用する。
【００３９】
上記したデフォルト記録制御情報及び動的記録制御情報に基づく記録動作制御は、以下の通りである。
【００４０】
コントローラ１１０は、時間帯に関係なく、番組指定録画に対応してＨＤＤ１４０１へ番組を記録する。また、コントローラ１１０は、昼間の時間帯（例えば７：００〜２１：５９の時間帯）に録画動作が開始するマルチ同時録画に対応してＨＤＤ１４０２へ番組を記録し、夜間の時間帯（例えば２２：００〜６：５９の時間帯）に録画動作が開始するマルチ同時録画に対応してＨＤＤ１４０１へ番組を記録する。或いは、コントローラ１１０は、夜間の時間帯に録画動作が含まれないマルチ同時録画に対応してＨＤＤ１４０２へ番組を記録し、夜間の時間帯に録画動作が含まれるマルチ同時録画に対応してＨＤＤ１４０１へ番組を記録する。
【００４１】
また別の例として、コントローラ１１０は、昼間の時間帯に録画動作が開始する番組指定録画に対応してＨＤＤ１４０１へ番組を記録する。また、コントローラ１１０は、昼間の時間帯に録画動作が開始するマルチ同時録画に対応してＨＤＤ１４０２へ番組を記録する。また、コントローラ１１０は、夜間の時間帯に録画動作が開始する番組指定録画に対応して不揮発性メモリ１４０３へ番組を記録し、夜間の時間帯に録画動作が開始するマルチ同時録画に対応して不揮発性メモリ１４０３へ番組を記録する。或いは、コントローラ１１０は、夜間の時間帯に録画動作が含まれる番組指定録画に対応して不揮発性メモリ１４０３へ番組を記録し、夜間の時間帯に録画動作が含まれるマルチ同時録画に対応して不揮発性メモリ１４０３へ番組を記録する。
【００４２】
以上により、放送受信装置１が、記憶容量及び騒音性能の異なるＨＤＤ１４０１、１４０２、不揮発性メモリ１４０３を搭載している場合に、状況に応じて、記憶容量を優先してＨＤＤ１４０１又はＨＤＤ１４０２を選択したり、騒音性能を優先してＨＤＤ１４０１又は不揮発性メモリ１４０３を選択したりする。例えば、夜間は、騒音性能に優れるＨＤＤ１４０１又は不揮発性メモリ１４０３を選択することにより、夜間の騒音を低減することができる。
【００４３】
続いて、図４を参照して、デフォルト記録制御情報及び動的記録制御情報に基づく記録動作制御の第２例について説明する。
【００４４】
本実施形態では、図４に示すように、例えば、ＨＤＤ１４０２は３．５インチＨＤＤである。ＨＤＤ１４０２の記憶容量は、不揮発性メモリ１４０３の記憶容量より多いと仮定する。また、マルチ同時録画で必要とされる記憶容量は、番組指定録画で必要とされる記憶容量より多い。そこで、デフォルト記録制御情報により以下を設定する。
【００４５】
不揮発性メモリ１４０３を番組指定録画用（ＰＶＲ用）に割り当てる。さらに、ＨＤＤ１４０２（３．５インチＨＤＤ）をマルチ同時録画用に割り当てる。或いは、ＨＤＤ１４０１を番組指定録画用（ＰＶＲ用）に割り当てる。さらに、ＨＤＤ１４０２（３．５インチＨＤＤ）をマルチ同時録画用に割り当てる。
【００４６】
なお、一般的に、構成の違いから、半導体素子により構成される不揮発性メモリ１４０３の信頼性は、駆動部の多いＨＤＤ１４０２の信頼性より高く、このような事情から、不揮発性メモリ１４０３の書き換え耐用性能は、ＨＤＤ１４０２の書き換え耐用性能より高い。言い換えると、不揮発性メモリ１４０３は、ＨＤＤ１４０２に比べて、故障し難い。そこで、動的記録制御情報により以下を設定する。
【００４７】
高信頼性モード（安全モード）の指定時は、ＨＤＤ１４０２よりも優先的に不揮発性メモリ１４０３を使用する。或いは、高信頼性モード（安全モード）の指定時は、ＨＤＤ１４０１及びＨＤＤ１４０２よりも優先的に不揮発性メモリ１４０３を使用する。なお、リモートコントローラ１１６を介して、ユーザーが高信頼性モードを指定することができる。
【００４８】
上記したデフォルト記録制御情報及び動的記録制御情報に基づく記録動作制御は、以下の通りである。
【００４９】
コントローラ１１０は、高信頼性モードの指定が無い場合は、番組指定録画に対応して不揮発性メモリ１４０３へ番組を記録し、また、マルチ同時録画に対応してＨＤＤ１４０２へ番組を記録する。さらに、コントローラ１１０は、高信頼性モードの指定が有る場合は、番組指定録画に対応してＨＤＤ１４０２へ番組を記録し、また、マルチ同時録画に対応して不揮発性メモリ１４０３へ番組を記録する。
【００５０】
或いは、コントローラ１１０は、高信頼性モードの指定が無い場合は、番組指定録画に対応してＨＤＤ１４０１へ番組を記録し、また、マルチ同時録画に対応してＨＤＤ１４０２へ番組を記録する。さらに、コントローラ１１０は、高信頼性モードの指定が有る場合は、番組指定録画に対応して不揮発性メモリ１４０３へ番組を記録し、また、マルチ同時録画に対応して不揮発性メモリ１４０３へ番組を記録する。
【００５１】
マルチ同時録画は、番組指定録画に比べて、書き込み動作が頻発する。上記した動的制御により、ＨＤＤ１４０２の寿命（つま装置の寿命）を延ばすことができたり、またＨＤＤ１４０１の寿命を延ばすことができたりする。
【００５２】
なお、上記説明した動的記録制御情報を、メニュー画面からユーザーの好みに応じた内容に変更することもできる。例えば、リモートコントローラ１１６を介してユーザーがメニュー画面の表示を指示し、さらに動的記録制御情報の設定画面の表示を指示すると、これに対応して映像表示部２０１には、動的記録制御情報の設定画面が表示される。リモートコントローラ１１６を介して、ユーザーは、動的記録制御情報の内容を自由に変更することができる。
【００５３】
例えば、夜間の番組指定録画及びマルチ同時録画のどちらの場合でも不揮発性メモリ１４０３を使用するように、動的記録制御情報の内容を変更することができる。これにより、夜間は、ＨＤＤ１４０１及びＨＤＤ１４０２が使用されなくなり、より静かな環境を提供できる。
【００５４】
また、高信頼性モードが指定された場合には、番組指定録画及びマルチ同時録画のどちらの場合でも不揮発性メモリ１４０３へ番組を記録するように、動的記録制御情報の内容を変更することができる。これにより、高信頼性モードが指定された場合には、ＨＤＤ１４０１及びＨＤＤ１４０２は使用されず、高い信頼性の下で録画処理が進められる。
【００５５】
以上説明したように、本発明のデジタルテレビジョン放送受信システム３は、状況に応じて、性能の異なる複数の情報記憶媒体の中から適切な情報記憶媒体を選択し、番組指定録画又はマルチ同時録画に対応して、選択された情報記憶媒体へ情報を記録することができる。
【００５６】
なお、本実施形態では、放送受信装置１が、各種条件に応じて、内蔵されたＨＤＤ１４０１、１４０２、不揮発性メモリ１４０３の中から所定の情報記憶媒体を選択し、選択した情報記憶媒体へ情報を記録するケースについて説明した。しかしながら、本発明は、これだけに限定されるものではない。例えば、放送受信装置１が、各種条件に応じて、外付けされた複数の情報記憶媒体の中から所定の情報記憶媒体を選択し、選択した情報記憶媒体へ情報を記録するケースにも、本発明を適用することができる。
【００５７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５８】
１…放送受信装置、２…映像音声出力装置、３…デジタルテレビジョン放送受信システム３、１０１ａ、１０１ｂ…アンテナ、１０２ａ、１０２ｂ…入力端子、１０３…チューナー部、１０４〜１０７…外部入力端子、１０８…信号処理モジュール、１１０…コントローラ、１１１…ＯＳＤ信号生成モジュール、１１２…グラフィック処理モジュール、１１３…映像処理モジュール、１１４…音声処理モジュール、１１５…操作部、１１７…受信部、１３１〜１３６…カードスロット、１４０１、１４０２…ＨＤＤ、１４０３…不揮発性メモリ、１０３１〜１０３７…チューナー
【図１】
2011048881.tif 000003
【図２】
2011048881.tif 000004
【図３】
2011048881.tif 000005
【図４】
2011048881.tif 000006